(57)【要約】【課題】混色光の照射領域全面に亘って均一な色温度および色度を確保することができると共に、混色光の平均演色評価数Ｒａが高くて変動も少なく、且つ簡単な方法で混色光の色温度を連続的に変えることが可能な明るいＬＥＤ照明灯具を提供することにある。【解決手段】夫々青色ＬＥＤ２と蛍光体３ａ、３ｂ、３ｃの組み合わせからなる３種類の光源のうち２種類の光源から出射される光源光Ｌ、Ｗをそれぞれ黒体放射軌跡近傍の異なる位置の色温度を有するようにして各光源から出射された光源光Ｌ、Ｗ、Ｇの加法混色により白色光ＬＷＧを得るようにした。そのため、各光源光Ｌ、Ｗ、Ｇおよび混色光ＬＷＧのスペクトルが可視光領域の連続する波長成分を有すると共に、各光源光Ｌ、Ｗ、Ｇの光束比率を制御することにより混色光ＬＷＧが黒体放射軌跡上の所望の色温度の位置となるように設定することが可能となった。【選択図】図１
2009054633.tif 000002
【特許請求の範囲】
【請求項１】
それぞれ色調が異なる光を出射する第１の光源、第２の光源、および第３の光源の３種類の光源と、前記３種類の光源から出射された光を透過するレンズを備えた照明装置であって、
前記第１の光源、前記第２の光源、および前記第３の光源はいずれも青色ＬＥＤと前記青色ＬＥＤからの青色光で励起されて該青色光とは異なる色調の光を出射する蛍光体との組み合わせからなり、
前記第１の光源および前記第２の光源から出射される光はそれぞれ黒体放射軌跡近傍の異なる位置の色温度を有し、前記第３の光源から出射される光は黒体放射軌跡外の緑色領域内の色度座標を有することを特徴とするＬＥＤ照明灯具。
【請求項２】
前記第１の光源および前記第２の光源から出射される光は、いずれも黒体放射軌跡に対して±０．００５ｄｕｖの範囲内にあることが好ましく、いずれも黒体放射軌跡に対して±０．００２ｄｕｖの範囲内にあることが更に好ましいことを特徴とする請求項１に記載のＬＥＤ照明灯具。
【請求項３】
前記第１の光源、前記第２の光源、および前記第３の光源のそれぞれから出射される光のスペクトルおよび前記第１の光源、前記第２の光源、および前記第３の光源のそれぞれから出射された光の混色光のスペクトルはいずれも、少なくとも４５０ｎｍ〜６００ｎｍの波長領域の全領域に亘って最大強度の２０％以上の連続する波長成分を有していることを特徴とする請求項１または２のいずれか１項に記載のＬＥＤ照明灯具。
【請求項４】
前記第１の光源、前記第２の光源、および前記第３の光源のそれぞれから出射される光の平均演色評価数Ｒａおよび前記第１の光源、前記第２の光源、および前記第３の光源のそれぞれから出射された光の混色光の平均演色評価数Ｒａはいずれも９０以上であることを特徴とする請求項１〜３のいずれか１項に記載のＬＥＤ照明灯具。
【発明の詳細な説明】
【技術分野】
【０００１】
本発明は、ＬＥＤ照明灯具に関するものであり、詳しくは、色温度を連続的に変えることができるＬＥＤ照明灯具に関する。
【背景技術】
【０００２】
ＬＥＤを発光源として白色光を得るには以下のような方法がある。それは、赤色発光のＬＥＤ（赤色ＬＥＤ）と緑色発光のＬＥＤ(緑色ＬＥＤ)と青色発光のＬＥＤ（青色ＬＥＤ）を用い、夫々のＬＥＤから出射される赤色光、緑色光、青色光の光の三原色の加法混色によって白色光を得る方法である。
【０００３】
具体的には、発光スペクトルのピーク波長λｐが６０５〜６３５ｎｍ、半値幅Δλが１５〜６０ｎｍの赤色ＬＥＤと、ピーク波長λｐが５３０〜５７０ｎｍ、半値幅Δλが２０〜６０ｎｍの緑色ＬＥＤと、ピーク波長λｐが４５０〜４９０ｎｍ、半値幅Δλが１５〜７０ｎｍの青色ＬＥＤを用い、各ＬＥＤから出射された赤色光、緑色光、青色光の夫々の光束比を制御した加法混色によって白色光を得るものである。
【０００４】
その場合、光束比を変えることによって異なる相関色温度および平均演色評価数の白色光が得られ、例えば、発光スペクトルのピーク波長λｐが６２０ｎｍ、半値幅Δλが１６．１ｎｍの赤色光を光束比２０．６７％、ピーク波長λｐが５５０ｎｍ、半値幅Δλが４８．０ｎｍの緑色光を光束比５４．１７％、ピーク波長λｐが４７０ｎｍ、半値幅Δλが６８．８ｎｍの青色光を光束比２５．１６％とした加法混色で相関色温度が６５００Ｋ、平均演色評価数Ｒａが９５．２の白色光（Ａ）が得られ、赤色光を光束比２２．８８％、緑色光を光束比５７．８９％、青色光を光束比１９．２４％とした加法混色で相関色温度が５０００Ｋ、平均演色評価数Ｒａが９４．３の白色光（Ｂ）が得られ、赤色光を光束比３２．１２％、緑色光を光束比５９．３５％、青色光を光束比８．２４％とした加法混色で相関色温度が３０００Ｋ、平均演色評価数Ｒａが９１．３の白色光（Ｃ）が得られる（図７参照）（例えば、特許文献１参照。）。
【０００５】
また他の方法として、青色ＬＥＤを発光源とし、青色ＬＥＤから出射される青色光に励起されて赤色光および緑色光に夫々波長変換する赤色蛍光体および緑色蛍光体の２種類の蛍光体混合物を用い、青色ＬＥＤから出射された青色光が蛍光体混合物を励起することによって波長変換された赤色光および緑色光と、青色ＬＥＤから出射された青色光の光の三原色の加法混色によって白色光を得る方法である。
【０００６】
具体的には、発光スペクトルのピーク波長λｐが４６０ｎｍの青色ＬＥＤと、ＳｒＳ：Ｅｕからなる赤色蛍光体とＳｒＣａ：２Ｓ４：Ｅｕからなる緑色蛍光体の蛍光体混合物を用い、青色ＬＥＤから出射された青色光が蛍光体混合物を励起することによって波長変換された赤色光および緑色光と、青色ＬＥＤから出射された青色光の夫々の光束比を制御した加法混色によって白色光を得るものである。
【０００７】
その場合、青色ＬＥＤの出射光量、赤色蛍光体および緑色蛍光体の夫々の絶対量、赤色蛍光体と緑色蛍光体の相対量等を制御して光束比を変えることによって異なる相関色温度および平均演色評価数の白色光が得られ、例えば相関色温度が３０００Ｋ、平均演色評価数Ｒａが９４の白色光（Ｄ）、相関色温度が３８００Ｋ、平均演色評価数Ｒａが９４の白色光（Ｅ）、相関色温度が４４００Ｋ、平均演色評価数Ｒａが９４の白色光（Ｆ）、相関色温度が４９００Ｋ、平均演色評価数Ｒａが９２の白色光（Ｇ）が得られる（図８参照）（例えば、特許文献２参照。）。
【特許文献１】特開２００１−１８４９１０号公報
【特許文献１】特開２００２−６０７４７号公報
【発明の開示】
【発明が解決しようとする課題】
【０００８】
ところで、上述したような赤色ＬＥＤ、緑色ＬＥＤ、青色ＬＥＤの３種類のＬＥＤを発光源として白色光を得る方法は、各ＬＥＤから出射された赤色光、緑色光、青色光の夫々の光束比を制御することによって白色光のみならず、各ＬＥＤから出射された夫々の光の色度座標上の位置を各頂点とする三角形で囲まれた領域内の色度座標で表わされる全ての光色を再現することが可能である。
【０００９】
この場合、特に各ＬＥＤから出射される夫々の光は発光スペクトルの半値幅が狭くて単波長に近いスペクトル分布を有しており、色度座標上においてはスペクトル軌跡近傍に位置するために白色光を含む色度座標上の広範囲の領域の光色を形成することができる。
【００１０】
但し、この方法は上述のように赤色ＬＥＤ、緑色ＬＥＤ、青色ＬＥＤの各ＬＥＤから出射される赤色光、緑色光、青色光のいずれの発光スペクトルも半値幅が狭く、且つ赤色光のスペクトルと緑色光のスペクトルの間および緑色光のスペクトルと青色光のスペクトルの間は波長領域の連続性がなく、夫々互いに分離された波長成分を有している。
【００１１】
そのため、赤色光、緑色光、青色光による加法混色の光をレンズを介して配光制御する際に、レンズの屈折率が各色光の波長成分によって異なるためにレンズを介して出射される混色光の照射領域の輪郭部に波長成分毎に分離された部分が発生し、照射領域全面に亘って均一な色度を確保することは極めて困難である。
【００１２】
この問題を解決するためには複雑な光学系による光のミキシングが必要となるが、その場合、光学素子の配設や光路長の長大化により光源装置の小型化、薄型化に逆行することになる。
【００１３】
また、赤色光、緑色光、青色光のうちの１つでも発光スペクトルにおけるピーク波長がシフトすると不連続な波長領域が変化し、混色光の平均演色評価数Ｒａを大きく変動させる要因となる。
【００１４】
また、各色光はスペクトル成分の積分値が小さいために夫々の全光束も少なく、特に視感度の高い緑色光に対して視感度の低い赤色光および青色光は全光束が極端に低下する。そのため、混色光においても全光束は少ないものとなり、明るい光源とはならない。
【００１５】
一方、青色ＬＥＤを発光源とし、赤色蛍光体および緑色蛍光体の２種類の蛍光体混合物を用いて白色光を得る方法は、上述の３種類のＬＥＤを発光源として白色光を得る方法においては、特に緑色ＬＥＤの発光効率が他の赤色ＬＥＤおよび青色ＬＥＤの発光効率に対して悪く、この問題を解決するために青色ＬＥＤから出射された青色光で緑色蛍光体を励起してより光束の多い擬似緑色光を緑色光源の代替とするものである。
【００１６】
但し、この方法は青色光として青色ＬＥＤから出射された光をそのまま使用しているために、赤色ＬＥＤ、緑色ＬＥＤ、青色ＬＥＤの３種類のＬＥＤを発光源として白色光を得る方法と同様の問題を有している。つまり、照射領域全面に亘って均一な色温度および色度を確保することが困難である共に、青色光の発光スペクトルにおけるピーク波長がシフトすると混色光の平均演色評価数Ｒａが変動し、光源としても明るいものとはならない。
【００１７】
また、その後の緑色ＬＥＤの発光効率の改善によって緑色光の光束の増大が図られており、必ずしも緑色光を青色ＬＥＤと緑色蛍光体の組み合わせで形成する必要がなくなった。
【００１８】
そこで、本発明は上記問題に鑑みて創案なされたもので、その目的とするところは、混色光の照射領域全面に亘って均一な色温度および色度を確保することができると共に、混色光の平均演色評価数Ｒａが高くて変動も少なく、且つ簡単な方法で混色光の色温度を連続的に変えることが可能な明るいＬＥＤ照明灯具を提供することにある。
【課題を解決するための手段】
【００１９】
上記課題を解決するために、本発明の請求項１に記載された発明は、それぞれ色調が異なる光を出射する第１の光源、第２の光源、および第３の光源の３種類の光源と、前記３種類の光源から出射された光を透過するレンズを備えた照明装置であって、
前記第１の光源、前記第２の光源、および前記第３の光源はいずれも青色ＬＥＤと前記青色ＬＥＤからの青色光で励起されて該青色光とは異なる色調の光を出射する蛍光体との組み合わせからなり、
前記第１の光源および前記第２の光源から出射される光はそれぞれ黒体放射軌跡近傍の異なる位置の色温度を有し、前記第３の光源から出射される光は黒体放射軌跡外の緑色領域内の色度座標を有することを特徴とするものである。
【００２０】
また、本発明の請求項２に記載された発明は、請求項１において、前記第１の光源および前記第２の光源から出射される光は、いずれも黒体放射軌跡に対して±０．００５ｄｕｖの範囲内にあることが好ましく、いずれも黒体放射軌跡に対して±０．００２ｄｕｖの範囲内にあることが更に好ましいことを特徴とするものである。
【００２１】
また、本発明の請求項３に記載された発明は、請求項１または２のいずれか１項において、前記第１の光源、前記第２の光源、および前記第３の光源のそれぞれから出射される光のスペクトルおよび前記第１の光源、前記第２の光源、および前記第３の光源のそれぞれから出射された光の混色光のスペクトルはいずれも、少なくとも４５０ｎｍ〜６００ｎｍの波長領域の全領域に亘って最大強度の２０％以上の連続する波長成分を有していることを特徴とするものである。
【００２２】
また、本発明の請求項４に記載された発明は、請求項１〜３のいずれか１項において、前記第１の光源、前記第２の光源、および前記第３の光源のそれぞれから出射される光の平均演色評価数Ｒａおよび前記第１の光源、前記第２の光源、および前記第３の光源のそれぞれから出射された光の混色光の平均演色評価数Ｒａはいずれも９０以上であることを特徴とするものである。
【発明の効果】
【００２３】
本発明のＬＥＤ照明灯具は、青色ＬＥＤと該青色ＬＥＤからの青色光で励起されて青色光とは異なる色調の光を出射する蛍光体との組み合わせからなる３種類の光源を備え、そのうち２種類の光源から出射される光をそれぞれ黒体放射軌跡近傍の異なる位置の色温度を有するようにして各光源から出射された光源光の加法混色により白色光を得るようにした。そのため、各光源光および混色光のスペクトルが可視光領域の連続する波長成分を有すると共に、各光源光の光束比率を制御することにより混色光が黒体放射軌跡上の所望の色温度の位置となるように設定することができる。
【００２４】
その結果、混色光の照射領域全面に亘って均一な色温度および色度を確保することができると共に、混色光の平均演色評価数Ｒａが高くて変動も少なく、且つ簡単な方法で混色光の色温度を連続的に変えることが可能な明るいＬＥＤ照明灯具を実現することが可能となった。
【発明を実施するための最良の形態】
【００２５】
以下、この発明の好適な実施形態を図１〜図６を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２６】
図１は本発明のＬＥＤ照明灯具の基本構成を示す断面図である。本発明は夫々異なるスペクトル分布を有する３種類の光源１ａ、１ｂ、１ｃを備えており、それら（光源１ａ、１ｂ、１ｃ）はいずれもピーク発光波長が４６５ｎｍ±１５ｎｍの青色光を発光するＬＥＤ（以降、青色ＬＥＤと呼称する）２を発光源とし、光源１ａ、１ｂ、１ｃはそれぞれ青色ＬＥＤ２から出射された青色光で励起されて該青色光とは異なる色調の光を出射する蛍光体３ａ、３ｂ、３ｃとの組み合わせからなっている。
【００２７】
蛍光体３ａ、３ｂは共に青色光で励起されて赤色光を出射する赤色蛍光体と緑色光を出射する緑色蛍光体を混合したものからなり、そのうち蛍光体３ａは出射光が赤色成分を多く含むような混合比率で構成されており、一方蛍光体３ｂは出射光が緑色成分を多く含むような混合比率で構成されている。蛍光体３ｃは青色光で励起されて緑色光を出射する緑色蛍光体からなっている。
【００２８】
光源１ａ、１ｂ、１ｃの上方には各光源１ａ、１ｂ、１ｃの夫々から出射された光源光Ｌ、Ｗ、Ｇが加法混色された混色光ＬＷＧの配光を制御するためのレンズ４が配置されている。
【００２９】
図２〜図４は３種類の光源１ａ、１ｂ、１ｃの夫々から出射される光源光Ｌ、Ｗ、Ｇのスペクトル分布を示しており、図２は光源１ａから出射された光源光Ｌのスペクトル分布、図３は光源１ｂから出射された光源光Ｗのスペクトル分布、図４は光源１ｃから出射された光源光Ｇのスペクトル分布である。
【００３０】
光源１ａから出射される光源光Ｌは、青色ＬＥＤ２から出射された青色光と、青色光で励起された蛍光体３ａが出射する、該青色光とは異なる色調の光との加法混色によるスペクトル分布を有しており、具体的には図２に示すように、約４２５ｎｍ〜８３０ｎｍの連続する波長成分を有し、約４５０ｎｍ〜７１０ｎｍの波長領域の全領域に亘って最大強度の２０％以上を維持している。また、光源光Ｌは２８００Ｋの色温度に相当する色度座標を有する電球色の色調を呈しており、高演色性を有している。
【００３１】
光源１ｂから出射される光源光Ｗは、青色ＬＥＤ２から出射された青色光と、青色光で励起された蛍光体３ｂが出射する、該青色光とは異なる色調の光との加法混色によるスペクトル分布を有しており、具体的には図３に示すように、約４２５ｎｍ〜８００ｎｍの連続する波長成分を有し、約４５０ｎｍ〜６６０ｎｍの波長領域の全領域に亘って最大強度の２０％以上を維持している。また、光源光Ｗは７０００Ｋの色温度に相当する色度座標を有する白色の色調を呈しており、高演色性を有している。
【００３２】
光源１ｃから出射される光源光Ｇは、青色ＬＥＤ２から出射される青色光と、青色光で励起された蛍光体３ｃが出射する、該青色光とは異なる色調の光との加法混色によるスペクトル分布を有しており、具体的には図４に示すように、約４２５ｎｍ〜７７０ｎｍの連続する波長成分を有し、約４５０ｎｍ〜６２０ｎｍの波長領域の全領域に亘って最大強度の２０％以上を維持している。また、光源光Ｇは色度座標（ｘ、ｙ）がｘ≒０．２７６、ｙ≒０．４２３で緑色の色調を呈している。
【００３３】
各光源光Ｌ、Ｗ、Ｇはいずれも少なくとも約４５０ｎｍ〜６００ｎｍの波長領域の全領域に亘って最大強度の２０％以上を維持している。
【００３４】
上記各光源１ａ、１ｂ、１ｃから出射される光源光Ｌ、Ｗ、Ｇを色度図上に記したものが図５である。色温度２８００Ｋの光源光Ｌと色温度７０００Ｋの光源光Ｗは黒体放射軌跡上に位置し、色度座標（ｘ、ｙ）がｘ≒０．２７６、ｙ≒０．４２３の光源光Ｇは黒体放射軌跡外に位置している。
【００３５】
これら３種類の光源１ａ、１ｂ、１ｃの夫々から出射される光源光Ｌ、Ｗ、Ｇの光束比率を変えることによって加法混色された混色光ＬＷＧが黒体放射軌跡上を連続的に移動するようにできる。
【００３６】
具体的には、光源１ａおよび光源１ｂの夫々の発光源となる青色ＬＥＤの駆動電流を制御して光源１ａから出射される光源光Ｌの光束と光源１ｂから出射される光源光Ｗの光束の比率を変えることにより、光源光Ｌと光源光Ｗの加法混色による混色光ＬＷが光源光Ｌの色度座標と光源光Ｗの色度座標を結ぶ直線（Ｌ−Ｗ）上を移動する。
【００３７】
例えば、光源１ａおよび光源１ｂのうち光源１ａのみに駆動電流を印加したときは混色光ＬＷとはならず光源光Ｌである黒体放射軌跡上の２６００Ｋの色温度を示し、光源１ａの駆動電流を徐々に低減させながら光源１ｂの駆動電流を徐々に増加させていくと、光源１ｂから出射される光源光Ｗの光束の光源１ａから出射される光源光Ｌの光束に対する比率が徐々に増加して光源光Ｌと光源光Ｗの混色光ＬＷが直線（Ｌ−Ｗ）上を光源光Ｌの色度座標から光源光Ｗの色度座標に向かって移動し、印加される駆動電流が光源１ｂのみになると混色光ＬＷとはならず光源光Ｗである黒体放射軌跡上の７０００Ｋの色温度を示す。
【００３８】
そのとき、混色光ＬＷが移動する直線（Ｌ−Ｗ）と黒体放射軌跡は互いに近い距離に位置するものの異なる軌跡を描いている。そこで更に、光源１ｃの駆動電流を制御して光源１ｃから出射される光源光Ｇの光束と混色光ＬＷの光束の比率を変えることにより、光源光Ｇと混色光ＬＷの加法混色による混色光ＬＷＧの色度座標が、混色光ＬＷの色度座標と光源光Ｇの色度座標を結ぶ直線（ＬＷ−Ｇ）と黒体放射軌跡との交点に位置するように設定することができる。
【００３９】
例えば、光源１ａ、１ｂのみに所定の比率となる駆動電流を印加したときは、混色光ＬＷＧとはならず混合光ＬＷである直線（ＬＷ−Ｇ）上の色度座標を示し、光源１ａ、１ｂの駆動電流を所定の比率で維持した状態で徐々に低減させながら光源１ｃの駆動電流を徐々に増加させていくと、光源１ｃから出射される光源光Ｇの光束の光源１ａ、１ｂから出射される光源光Ｌと光源光Ｗの混色光ＬＷの光束に対する比率が徐々に増加して混色光ＬＷと光源光Ｇの混色光ＬＷＧが直線（ＬＷ−Ｇ）上を混色光ＬＷの色度座標から光源光Ｇの色度座標に向かって移動し、印加される駆動電流が光源１ｃのみになると混色光ＬＷＧとはならず光源光Ｇである直線（ＬＷ−Ｇ）上の色度座標を示す。
【００４０】
このとき、光源１ａ、１ｂの夫々の駆動電流を所定の比率で維持した状態で制御すると同時に、光源１ｃの駆動電流を制御することによって、各光源１ａ、１ｂ、１ｃの夫々から出射される光源光Ｌ、Ｗ、Ｇの混色光ＬＷＧの色度座標を、黒体放射軌跡上の直線（ＬＷ−Ｇ）との交点の位置に設定することが可能となる。
【００４１】
表１は、上記手法に基づいて混色光ＬＷＧを２６００Ｋの色温度に相当する色度座標から７０００Ｋの色温度に相当する色度座標までを黒体放射軌跡上を移動させたときの各色温度に対する平均演色評価数Ｒａと（電力−光束）変換効率を示したものである。
【００４２】
【表１】
2009054633.tif 000003
【００４３】
この表より、混色光ＬＷＧの平均演色評価数Ｒａは黒体放射軌跡上の色温度２６００Ｋから７０００Ｋまでの各位置において全て９２となり、混色光ＬＷＧの変換効率は全て３４ｌｍ／Ｗとなっており、本発明のＬＥＤ照明灯具が、色調を連続して変化させた場合でも高くて安定した平均演色評価数Ｒａおよび変換効率を有するものであることがわかる。
【００４４】
図６は色温度が５０００Ｋの混色光ＬＷＧのスペクトル分布を示している。表１より平均演色評価数Ｒａは９２、発光効率は３４ｌｍ／Ｗであることは明らかであると共に、約４２５ｎｍ〜８３０ｎｍの連続する波長成分を有し、約４５０ｎｍ〜６８５ｎｍの波長領域の全領域に亘って最大強度の２０％以上を維持しており、高演色性を有する白色光となっている。
【００４５】
このように所望の色温度に設定された混色光ＬＷＧがレンズ４で所望の配光に制御されて外部に放出される。このとき、混色光ＬＷＧは約４５０ｎｍ〜６８５ｎｍの波長領域の全領域に亘って最大強度の２０％以上を維持しているために、レンズ４で屈折されて外部に出射されるときに所定の強度を維持した連続する波長成分によって混色光ＬＷＧの照射領域の輪郭部に波長成分毎に分離される部分が発生することはなく、照射領域全面に亘って均一性が良好な色度を確保することが可能となる。
【００４６】
特に、レンズ４によって混色光ＬＷＧを集光して外部に出射する場合は、照射領域内で光色の分離が生じないために良好なスポットが得られ、且つ簡単な光学系で集光させることが可能なことから薄くて小型の照明灯具を実現することができる。
【００４７】
また、各光源光Ｌ、Ｗ、Ｇのスペクトルはいずれも視感度の高い緑色光の波長成分を有しているため全光束が大きく明るい光源となっている。従って、光源光Ｌ、Ｗ、Ｇの混色光ＬＷＧにおいても視感度の高い緑色光の波長成分を有しており、全光束が大きく明るい照明灯具となっている。
【００４８】
なお、光源光Ｌおよび光源光Ｗは黒体放射軌跡上に位置することが理想であるが、実際は青色ＬＥＤのスペクトル分布、蛍光体の厚み等における製造上のばらつきによって黒体放射軌跡上からズレることがある。すると、黒体放射軌跡と直線（Ｌ−Ｗ）の間の距離が大きくなり、混色光ＬＷＧを黒体放射軌跡上に位置させるために混色光ＬＷに加える光源光Ｇが大きい光束が必要となり、そのため光源１ｃの駆動電流が大きくなって照明灯具の消費電力が大きくなる。
【００４９】
よって、光源光Ｌおよび光源光Ｗの黒体放射軌跡からのズレはいずれも±０．００５ｄｕｖの範囲内にあることが望ましく、±０．００２ｄｕｖの範囲内にあることが更に望ましい。
【００５０】
また、光原光Ｇの色度座標（ｘ、ｙ）をｘ≒０．２７６、ｙ≒０．４２３としたが、必ずしもこの値に限定されるものではなく、黒体放射軌跡と直線（ＬＷ−Ｇ）が交点を形成するような緑色領域内の色度座標であればよい。
【００５１】
なお、本実施形態を説明する図面においては、夫々異なる色調の光を出射する３種類の光源１ａ、１ｂ、１ｃを１個づつ設けているが、光源１ａ、１ｂ、１ｃの夫々の個数はこれに限られるものではなく、発光源となる青色ＬＥＤの発光効率、青色光で励起される蛍光体の励起効率、照明灯具に求められる明るさ、消費電力、寸法形状等の条件を考慮して設定される。
【００５２】
その結果、各光源１ａ、１ｂ、１ｃの夫々が１個または複数個であったり、互いの個数が同一あるいは異なるものであったりする場合もある。
【００５３】
更に、本実施例においては、混色光ＬＷＧをレンズ４で配光制御して外部に出射していたが、各光源光Ｌ、Ｗ、Ｇを個々にレンズ４で配光制御してレンズ４外に出射された後に混色光ＬＷＧを形成することも可能である。
【００５４】
この場も、各光源光Ｌ、Ｗ、Ｇのスペクトル分布がいずれも約４５０ｎｍ〜６００ｎｍの波長領域の全領域に亘って最大強度の２０％以上を維持しているため、レンズ４外に出射される各光源光Ｌ、Ｗ、Ｇの照射領域内で光色の分離が生じることがない。そのため、レンズ４外で加法混色された混色光ＬＷＧにおいても照射領域全面に亘って均一性が良好な色度を確保することが可能となる。
【００５５】
以上説明したように、本発明は少なくとも２種類の光源１ａ、１ｂが演色性の高い光源光Ｌ、Ｗを出射するようにしたことにより、光源１ｃが出射する補色の光源光Ｇの演色性が低くても全ての色温度領域に亘って混色光の平均演色評価数Ｒａを９０以上とすることが可能となった。
【図面の簡単な説明】
【００５６】
【図１】本発明に係わる実施形態の説明図である。
【図２】本発明に係わる光源光Ｌのスペクトル分布である。
【図３】同じく、本発明に係わる光源光Ｗのスペクトル分布である。
【図４】同じく、本発明に係わる光源光Ｇのスペクトル分布である。
【図５】同じく、本発明に係わる混色光ＬＷＧを形成する説明図である。
【図６】同じく、本発明に係わる混色光ＬＷＧのスペクトル分布である。
【図７】従来の方法で形成された混色光のスペクトル分布図である。
【図８】従来の他の方法で形成された混色光のスペクトル分布図である。
【符号の説明】
【００５７】
１ａ、１ｂ、１ｃ    光源
２    青色ＬＥＤ
３ａ、３ｂ、３ｃ    蛍光体
４    レンズ
【図１】
2009054633.tif 000004
【図２】
2009054633.tif 000005
【図３】
2009054633.tif 000006
【図４】
2009054633.tif 000007
【図５】
2009054633.tif 000008
【図６】
2009054633.tif 000009
【図７】
2009054633.tif 000010
【図８】
2009054633.tif 000011